(57)【要約】【課題】  枠組壁工法による建築物の耐力壁の強度増加を図って建築物の耐震性能を高める。【解決手段】  枠組壁工法により建築される建築物１の耐震構造において、床２上に立設される壁枠組材の隅柱４から２スパン以内のたて枠５，５を２枚合わせとし、この２枚合わせのたて枠５，５を挟持するとともに、その上下端を下枠３と上枠６とに固定支持させる上下枠取付補強金具２２と、２枚合わせのたて枠５，５の高さ方向の中間位置を挟持する保持部からなる中間補強金具２１とからなる耐震補強金具を用いて建築物の隅角部の剛性を高めるようにした。【選択図】  図１
0003125056.tif 000002
【実用新案登録請求の範囲】
【請求項１】
枠組壁工法により建築される建築物の耐震構造であって、床上に立設される壁枠組材の隅柱から２スパン以内のたて枠を２枚合わせとし、前記建築物の隅角部の剛性を高めたことを特徴とする枠組壁工法建築物の耐震構造。
【請求項２】
枠組壁工法により建築される建築物の床上に立設される壁枠組材の隅柱から２スパン以内のたて枠を２枚合わせとし、該２枚合わせのたて枠を挟持するとともに、その上下端を下枠と上枠とに固定支持させる上下枠取付補強金具と、前記２枚合わせのたて枠の高さ方向の中間位置を挟持する保持部からなる中間補強金具とを備えたことを特徴とする枠組壁工法建築物の耐震補強金具。
【請求項３】
前記上下枠取付補強金具は、略コ字形のたて枠保持部と、上下枠取付フランジとが一体形成された鋼板曲げ加工品であることを特徴とする請求項２に記載の枠組壁工法建築物の耐震補強金具。
【請求項４】
前記中間補強金具は、略コ字形のたて枠保持部からなる鋼板曲げ加工品であることを特徴とする請求項２に記載の枠組壁工法建築物の耐震補強金具。
【考案の詳細な説明】
【技術分野】
【０００１】
本考案は枠組壁工法建築物の耐震構造及び耐震補強金具に係り、特に枠組壁工法による建築物のたて枠の剛性を高め、建築物の耐力壁の強度増加を図った耐震構造およびたて枠の接合に用いることで耐震性を向上させるようにした耐震補強金具に関する。
【背景技術】
【０００２】
従来、枠組壁工法（ツーバイフォー工法）による建築物は、枠組材に構造用合板等の壁材、床材を固着させて枠組構造と壁、床等の面構造とを一体化させた剛性の高い壁式構造であるため、耐震性にすぐれ、枠組材による防火性、壁内に収容される断熱材による断熱効果が高い、効率の良い省エネ住宅として、その性能の高さが認められている。
【０００３】
枠組壁工法建築物の耐震性能は、適正な耐力壁量とバランスの良い耐力壁の配置によって確保されるが、その耐震性能のさらなる向上のために、各種の提案がなされている。例えば特許文献１には、建築物の四隅に耐震エレメントを取り付けることで、耐震性を向上させた耐震性木造建築物が開示されている。この建築物に用いられた耐震エレメントは、たて枠材と面材を用いて組み立てられた補強構造からなり、従来の建築物の外側の四隅角部の下部に取り付けられている。
【０００４】
【特許文献１】特開２００３−１９３５６１号公報。
【考案の開示】
【考案が解決しようとする課題】
【０００５】
ところで、特許文献１に開示された耐震性木造建築物に用いられる耐震エレメントは、上述したように、従来の建築物の四隅に、さらにＬ形部材を増設して構築するようになっているため、外部から見ると、耐震エレメント自体が建築物の四隅に付設されたように見え、建築物意匠として見栄えが劣る。また、この耐震エレメントを支持する基礎部分も従来の建築物基礎を拡幅して設ける必要があり、基礎、土台も増設する必要があり、全体としての建築コストが相当増加するという問題がある。そこで、本考案の目的は上述した従来の技術が有する問題点を解消し、外見上は耐震構造が付加されたことがわからないように、耐力壁部分での耐震性の向上を図ることで、意匠的にも建築コストの増加も最小限で済む枠組壁工法建築物の耐震構造及び耐震補強金具を提供することにある。
【課題を解決するための手段】
【０００６】
上記目的を達成するために、本考案は枠組壁工法により建築される建築物の耐震構造であって、床上に立設される壁枠組材の隅柱から２スパン以内のたて枠を２枚合わせとし、前記建築物の隅角部の剛性を高めたことを特徴とする。
【０００７】
上述の建築物の耐震構造に用いられる耐震補強金具であって、建築物の床上に立設される壁枠組材の隅柱から２スパン以内のたて枠を２枚合わせとし、該２枚合わせのたて枠を挟持するとともに、その上下端を下枠と上枠とに固定支持させる上下枠取付補強金具と、前記２枚合わせのたて枠の高さ方向の中間位置を挟持する保持部からなる中間補強金具とを備えたことを特徴とする。
【０００８】
前記上下枠取付補強金具は、略コ字形をなすたて枠保持部と、上下枠取付フランジとが一体形成された鋼板曲げ加工品とすることが好ましい。
【０００９】
前記中間補強金具は、略コ字形をなすたて枠保持部からなる鋼板曲げ加工品とすることが好ましい。
【考案の効果】
【００１０】
本考案によれば、外観上、付加する構造を必要とせずに、安価なコストで、壁枠組材の耐力壁の耐震性能を向上させることができるという効果を奏する。
【考案を実施するための最良の形態】
【００１１】
以下、本考案の枠組壁工法建築物の耐震構造及び耐震補強金具の実施するための最良の形態として、以下の実施例について添付図面を参照して説明する。
【実施例】
【００１２】
図１は、建築物１の隅柱４近傍の壁枠組の耐震構造を模式的に示した概略斜視図である。同図に示したように、略示した床部２上に固定された下枠３上の隅角部に所定断面の隅柱４が立設され、さらにたて枠５を２丁合わせとした耐震たて枠１０が隅柱４から２スパン分（本実施例では１スパン４５５mm）に立設されている。この耐震たて枠１０は、上下端が後述する耐震補強金具２０を介して下枠３と上枠６とに固定保持され、２枚のたて枠５が複数個所で釘打ちされ面固定されてせん断抵抗が確保され、さらに中間補強金具２１により２枚のたて枠５，５の一体化が図られている。
【００１３】
図２各図は、枠組壁工法建築物１の耐震構造の一例を模式的に示した建築物の平面図、枠組図である。図２（ａ）では、建築物１の外形（下枠３）上に、耐震たて枠１０（図中、■で表示）が立設された柱配置が示されている。同図に示したように、各耐震たて枠１０は、各隅柱４から原則として２スパン分に配置されている。
【００１４】
図３は、図２（ａ）中、○で囲んで示したように、開口部８が２スパン以内に位置する場合の耐震たて枠１０の構成を示している。図３に示したように、開口部８側の耐震たて枠１０は１スパンのみに配置されている。この開口部８では、図２（ｂ）、図３に示したように、通常の開口部構造としての公知のマグサ受け９がたて枠５に釘打ちされるので、開口部８での間柱としての断面積は確保されている。
【００１５】
ここで、耐震たて枠１０に取り付けられる耐震補強金具２０とその取り付け状態について、図４〜図６を参照して説明する。
耐震補強金具２０は、図４（ａ）に示した中間補強金具２１と、図４（ｂ）に示した上下枠取付補強金具２２の２種類からなり、基本形としての中間補強金具２１は、平面視して略コ字形をなすように曲げ加工された鋼板部材からなり、本実施例では材質ＪＩＳ  Ｇ  ３３０２の溶融亜鉛メッキ鋼板が使用され、使用対象のたて枠５が２丁合わせとした状態ではめ込めるような寸法に曲げ加工されている。すなわち、たて枠５の寸法型式が２０４の場合、内法寸法は８０mmに設定されている。側面には、補強金具２１とたて枠５とを一体化させる２個のビス止め孔２３が左右側面でそれぞれ対角位置になるように形成されている。上下枠取付補強金具２２は、中間補強金具２１の側面に取付フランジ２４を一体的に形成した形状からなる。取付フランジ２４は本体側面部を屈曲加工したもので、上枠６への取り付けへ取り付ける際は、同一部材の向きを天地反転すればよい。
【００１６】
図５は中間補強金具２１と上下枠取付補強金具２２のたて枠５および下枠３への取り付け状態を模式的に示した斜視図である。両補強金具２１，２２のたて枠５及び下枠３への固定には皿ネジ２５，２６を用いることにより、従来の釘打ちより、枠体へ金具をしっかりと緊結させることが好ましい。また、たて枠５に用いる皿ネジ２５のネジ長は５５mm程度とすることにより、耐震たて枠１０として２枚のたて枠５をネジ止めによって、より一体化させることができる。
【図面の簡単な説明】
【００１７】
【図１】本考案の枠組壁工法建築物の耐震構造および耐震たて枠に使用された耐震補強金具の一実施例を示した斜視図。
【図２】本考案の枠組壁工法建築物の耐震構造の一実施例を示した平面図、枠組図。
【図３】図１に示した耐震構造および耐震たて枠に使用された耐震補強金具の他の実施例を示した斜視図。
【図４】本考案の耐震補強金具の一実施例を示した説明図面。
【図５】本考案の耐震補強金具の取付状態の一例を示した状態説明斜視図。
【符号の説明】
【００１８】
１  建築物
３  下枠
４  隅柱
５  たて枠
８  開口部
１０  耐震たて枠
２０  耐震補強金具
２１  中間補強金具
２２  上下枠取付補強金具
２４  取付フランジ
【図１】
0003125056.tif 000003
【図２】
0003125056.tif 000004
【図３】
0003125056.tif 000005
【図４】
0003125056.tif 000006
【図５】
0003125056.tif 000007